(57)【要約】【課題】ユーザー等に大きな圧迫感を与えるおそれが低減されるリクライニング椅子を提供する。【解決手段】リクライニング椅子は、土台を構成する土台フレーム２０と、着座部１１を構成する座フレーム３０と、背もたれ１２を構成する背フレーム４０と、相対的に回転できるように座フレーム３０と背フレーム４０とを接続する背フレーム接続部３８と、土台フレーム２０に取り付けられるレール部材５０と、座フレーム３０に取り付けられる走行具とを備える。レール部材５０が土台フレーム２０の前方に向かうにつれて上方に向けて傾斜する部分を含む。座フレーム３０が土台フレーム２０に対して前後方向に移動できるようにレール部材５０および走行具が組み合わせられる。座フレーム３０が土台フレーム２０に対して前方に移動することにともない背フレーム接続部３８が土台フレーム２０に対して前方かつ上方に移動しながら背フレーム４０がリクライニングする。【選択図】図２
2014147849.tif 000002
【特許請求の範囲】
【請求項１】
土台を構成する土台フレームと、
着座部を構成する座フレームと、
背もたれを構成する背フレームと、
相対的に回転できるように前記座フレームと前記背フレームとを接続する接続部と、
前記土台フレームおよび前記座フレームの一方に取り付けられるレール部材と、
前記土台フレームおよび前記座フレームの他方に取り付けられる走行具と
を備え、
前記レール部材が前記土台フレームの前方に向かうにつれて上方に向けて傾斜する部分を含み、
前記座フレームが前記土台フレームに対して前後方向に移動できるように前記レール部材および前記走行具が組み合わせられ、
前記座フレームが前記土台フレームに対して前方に移動することにともない前記接続部が前記土台フレームに対して前方かつ上方に移動しながら前記背フレームがリクライニングする
リクライニング椅子。
【請求項２】
前記背フレームがリクライニングした姿勢を持つときの前記背フレームの下端部の高さが、前記背フレームがリクライニングしていない姿勢を持つときの前記背フレームの下端部の高さと実質的に同じ、または、その高さよりも高い
請求項１に記載のリクライニング椅子。
【発明の詳細な説明】
【技術分野】
【０００１】
本発明はリクライニング椅子に関する。
【背景技術】
【０００２】
背もたれがリクライニングし得るリクライニング椅子が知られている。
【先行技術文献】
【特許文献】
【０００３】
【特許文献１】特開２００３−１４４２６２号公報
【発明の概要】
【発明が解決しようとする課題】
【０００４】
従来のリクライニング椅子は、その椅子が設置される室内等の空間においてユーザー等に大きな圧迫感を与えるおそれがある。
本発明の目的は、ユーザー等に大きな圧迫感を与えるおそれが低減されるリクライニング椅子を提供することである。
【課題を解決するための手段】
【０００５】
本発明の一形態に従うリクライニング椅子は、土台を構成する土台フレームと、着座部を構成する座フレームと、背もたれを構成する背フレームと、相対的に回転できるように前記座フレームと前記背フレームとを接続する接続部と、前記土台フレームおよび前記座フレームの一方に取り付けられるレール部材と、前記土台フレームおよび前記座フレームの他方に取り付けられる走行具とを備え、前記レール部材が前記土台フレームの前方に向かうにつれて上方に向けて傾斜する部分を含み、前記座フレームが前記土台フレームに対して前後方向に移動できるように前記レール部材および前記走行具が組み合わせられ、前記座フレームが前記土台フレームに対して前方に移動することにともない前記接続部が前記土台フレームに対して前方かつ上方に移動しながら前記背フレームがリクライニングする。
【発明の効果】
【０００６】
本発明の一形態に従うリクライニング椅子によれば、ユーザー等に大きな圧迫感を与えるおそれが低減される。
【図面の簡単な説明】
【０００７】
【図１】第１実施形態の椅子式マッサージ機の斜視図。
【図２】第１実施形態のリクライニング椅子のフレームの斜視図。
【図３】第１実施形態のレール部材の斜視図。
【図４】第１実施形態のリクライニング椅子のフレームの側面図。
【図５】第１実施形態の背もたれがリクライニングした状態を示す側面図。
【図６】第２実施形態のリクライニング椅子のフレームの側面図。
【図７】第２実施形態の背もたれがリクライニングした状態を示す側面図。
【図８】第２実施形態の背もたれがさらにリクライニングした状態を示す側面図。
【図９】第３実施形態のリクライニング椅子のフレームの側面図。
【図１０】第３実施形態の背もたれがリクライニングした状態を示す側面図。
【発明を実施するための形態】
【０００８】
（リクライニング椅子が取り得る形態の一例）
〔１〕本発明の一形態に従うリクライニング椅子は、土台を構成する土台フレームと、着座部を構成する座フレームと、背もたれを構成する背フレームと、相対的に回転できるように前記座フレームと前記背フレームとを接続する接続部と、前記土台フレームおよび前記座フレームの一方に取り付けられるレール部材と、前記土台フレームおよび前記座フレームの他方に取り付けられる走行具とを備え、前記レール部材が前記土台フレームの前方に向かうにつれて上方に向けて傾斜する部分を含み、前記座フレームが前記土台フレームに対して前後方向に移動できるように前記レール部材および前記走行具が組み合わせられ、前記座フレームが前記土台フレームに対して前方に移動することにともない前記接続部が前記土台フレームに対して前方かつ上方に移動しながら前記背フレームがリクライニングする。
【０００９】
上記リクライニング椅子によれば、背フレームが上記のとおりリクライニングするため、背フレームがリクライニングしたときに背フレームが土台フレームの後部よりも椅子の後方側に飛び出る部分の長さが従来のリクライニング椅子よりも増加しにくい。このため、ユーザー等に大きな圧迫感を与えるおそれが低減される。
【００１０】
〔２〕前記リクライニング椅子の一形態によれば、前記背フレームがリクライニングした姿勢を持つときの前記背フレームの下端部の高さが、前記背フレームがリクライニングしていない姿勢を持つときの前記背フレームの下端部の高さと実質的に同じ、または、その高さよりも高い。
【００１１】
上記リクライニング椅子によれば、上記のとおり背フレームの下端部の高さが変化するため、背フレームの下端部の高さがそのように変化しない場合と比較して背フレームおよび座フレームの高さを低い位置に設定できる余地が大きくなる。
【００１２】
（第１実施形態）
図１〜図５を参照して、第１実施形態について説明する。図１は、リクライニング椅子１０を備える椅子式マッサージ機１の外観を示す斜視図である。以下の説明において、前方および後方を含む前後方向は、図中の矢印Ｘで示す方向である。また、左方および右方を含む左右方向は、図中の矢印Ｙで示す方向である。また、上方および下方を含む上下方向は、図中の矢印Ｚで示す方向である。
【００１３】
図１に示されるとおり、リクライニング椅子１０は、使用者が座る着座部１１と、着座部１１の後側端部に設けられた背もたれ１２と、着座部１１の右側端部および左側端部に設けられた肘掛け１３と、着座部１１の前側端部に設けられたオットマン１４とを備えている。
【００１４】
椅子式マッサージ機１は、背もたれ１２の内部およびオットマン１４の内部にマッサージ機構（図示略）を備えている。例えば、背もたれ１２の内部には、ローラ式マッサージ機構が設けられるとともに、オットマン１４の内部には、エア式マッサージ機構が設けられている。これらのマッサージ機構により、着座部１１に座っている着座者がマッサージされる。
【００１５】
背もたれ１２は、リクライニング可能に構成されている。着座部１１が有する座面１１ａは、背もたれ１２のリクライニングと連動して前後方向に移動可能に構成されている。また、座面１１ａの前側端部に接続されたオットマン１４は、座面１１ａとの接続部分を軸として回動可能に構成されている。
【００１６】
図２は、着座部１１および背もたれ１２の内部構造を示す斜視図であって、リクライニング椅子１０が備える構成部品を示している。
着座部１１の土台となる土台フレーム２０は、水平面に設置可能な設置フレーム２１と、設置フレーム２１の上に立たせて設けられた支持フレーム２２とを備えている。
【００１７】
着座部１１の下方には、設置フレーム２１としての右側設置フレーム２１ａおよび左側設置フレーム２１ｂが、その長手方向が前後方向となるように設けられている。そして、左右方向において間隔を空けて設けられた右側設置フレーム２１ａと左側設置フレーム２１ｂとは、連結フレーム２３ａ，２３ｂにより互いに接続されている。
【００１８】
右側設置フレーム２１ａには、支持フレーム２２として右側支持フレーム２２ａ，２２ｂ，２２ｃが設けられるとともに、左側設置フレーム２１ｂには、支持フレーム２２として左側支持フレーム２２ｄ，２２ｅ，２２ｆが設けられている。前後方向において右側支持フレーム２２ａ，２２ｃの間に位置する右側支持フレーム２２ｂと、前後方向において左側支持フレーム２２ｄ，２２ｆの間に位置する左側支持フレーム２２ｅとは、連結フレーム２３ｃにより互いに接続されている。
【００１９】
設置フレーム２１から上方に向けて立つ支持フレーム２２には、第１のレール部材であるレール部材５０、および、第２のレール部材であるレール部材６０が固定されている。レール部材５０は、前後方向における座フレーム３０の移動を案内する着座部案内用フレームである。また、レール部材６０は、背フレーム４０の移動を案内する背もたれ案内用フレームである。
【００２０】
右側支持フレーム２２ａ，２２ｂ，２２ｃには、レール部材５０としての右側レール部材５０ａが固定されている。また、右側支持フレーム２２ａ，２２ｂよりも後方に位置する右側支持フレーム２２ｃには、レール部材６０としての右側レール部材６０ａが固定されている。このようにして右側レール部材５０ａ，６０ａは、右側支持フレーム２２ａ，２２ｂ，２２ｃにより支持されている。
【００２１】
さらに、左側支持フレーム２２ｄ，２２ｅ，２２ｆには、レール部材５０として左側レール部材５０ｂが固定されている。また、左側支持フレーム２２ｄ，２２ｅよりも後方に位置する左側支持フレーム２２ｆには、レール部材６０としての左側レール部材６０ｂが固定されている。このようにして左側レール部材５０ｂ，６０ｂは、左側支持フレーム２２ｄ，２２ｅ，２２ｆにより支持されている。
【００２２】
座面１１ａ（図１参照）を含んだ着座部１１を構成する座フレーム３０は、レール部材５０により支持されるサイドフレーム３１を備えている。直線状に形成されたサイドフレーム３１は走行具取付フレームであって、サイドフレーム３１には第１の走行具である走行具３２（図４参照）が設けられている。走行具３２は、サイドフレーム３１を含む座フレーム３０に対して回転する回転体であって、レール部材５０の内部空間に設けられる。
【００２３】
左右方向における着座部１１の端部には、サイドフレーム３１としての右側サイドフレーム３１ａおよび左側サイドフレーム３１ｂが設けられている。左右方向において間隔を空けて設けられた右側サイドフレーム３１ａおよび左側サイドフレーム３１ｂは、前側フレーム３３により互いに接続されている。
【００２４】
走行具３２は、右側サイドフレーム３１ａおよび左側サイドフレーム３１ｂの各々に設けられている。また、右側サイドフレーム３１ａおよび左側サイドフレーム３１ｂの各々には、走行具３２として、前側走行具３２ａおよび後側走行具３２ｂ（図４参照）が設けられている。前側走行具３２ａと後側走行具３２ｂは、前後方向において間隔を空けて設けられている。
【００２５】
右側サイドフレーム３１ａおよび左側サイドフレーム３１ｂの各々には掛け具３４が取り付けられるとともに、掛け具３４には、座面１１ａ（図１参照）の下に設けられる弾性体３５が掛けられている。弾性体３５の下方には、弾性体３５の変形を規制するための変形規制フレーム３６が設けられている。この変形規制フレーム３６により、右側サイドフレーム３１ａと左側サイドフレーム３１ｂとが連結されている。そして、連結フレーム３７により、変形規制フレーム３６と前側フレーム３３とが連結されている。
【００２６】
座フレーム３０の後側端部には、背フレーム４０が接続される背フレーム接続部３８が設けられている。背フレーム接続部３８に接続された背フレーム４０は、座フレーム３０に対して回動可能である。本実施形態においては、背フレーム接続部３８として、右側サイドフレーム３１ａに右側背フレーム接続部３８ａが設けられるとともに、左側サイドフレーム３１ｂに左側背フレーム接続部３８ｂが設けられている。
【００２７】
背もたれ１２を構成する背フレーム４０は、レール部材６０および座フレーム３０により支持されるサイドフレーム４１を備えている。サイドフレーム４１の下側端部には、背フレーム接続部３８に接続される座フレーム接続部４２が設けられている。また、サイドフレーム４１には、第２の走行具である走行具４３（図４参照）が設けられている。走行具４３は、サイドフレーム４１を含む背フレーム４０に対して回転する回転体であって、レール部材６０の内部空間に設けられる。
【００２８】
左右方向における背もたれ１２の端部には、サイドフレーム４１としての右側サイドフレーム４１ａおよび左側サイドフレーム４１ｂが設けられている。左右方向において間隔を空けて設けられた右側サイドフレーム４１ａおよび左側サイドフレーム４１ｂは、上側フレーム４４により互いに接続されている。そして、右側サイドフレーム４１ａおよび左側サイドフレーム４１ｂの各々に、背フレーム接続部３８に接続される座フレーム接続部４２が設けられている。また、右側サイドフレーム４１ａおよび左側サイドフレーム４１ｂの各々に走行具４３が設けられている。なお、走行具４３は、スペーサ４５を介してサイドフレーム４１に設けられている。
【００２９】
図３にレール部材５０のみを示す。図３は、レール部材５０の斜視図であって、右側レール部材５０ａを示す図である。左側レール部材５０ｂは、右側レール部材５０ａを鏡面に映した出した形状であるため、左側レール部材５０ｂのみの図示は省略する。
【００３０】
図３に示すように、レール部材５０は、前後方向に延び、かつ、屈曲している角材である。レール部材５０は、座フレーム３０に設けられた走行具３２が回転可能に設けられる内部空間を有するとともに、レール部材５０には、走行具３２が前後方向に移動できるように、前端から後端にかけて内部空間を開放する開口５１が形成されている。
【００３１】
レール部材５０の内部空間において、レール部材５０は、走行具３２が走行する走行面５２を有している。走行面５２は、直線状に延びる第１走行部５２ａおよび第２走行部５２ｂを含んでいる。そして、第１走行部５２ａの前端に接続された第２走行部５２ｂが、第１走行部５２ａが水平に設けられたときに、前方に向かうにつれて上方に延びるようにレール部材５０が形成されている。このようにして走行面５２が屈曲されている。
【００３２】
また、レール部材６０は、レール部材５０と同様に形成された角材であって、背フレーム４０に設けられた走行具４３が回転可能に設けられる内部空間を有している。そして、レール部材６０には、走行具４３が移動できるように、レール部材５０と同様に前端から後端にかけて内部空間を開放する開口６１（図２参照）が形成されている。レール部材６０の内部空間において、レール部材６０は、走行具４３が走行する走行面６２（図４参照）を有している。なお、本実施形態においては、湾曲するようにレール部材６０が形成されることにより、レール部材６０の後側端部を除いて走行面６２は大きく傾斜している。
【００３３】
また、リクライニング椅子１０は、電動で背もたれ１２がリクライニングできるように構成されている。本実施形態においては、図２に示すように、土台フレーム２０および座フレーム３０に電動伸縮機構７０が接続されている。
【００３４】
電動伸縮機構７０の一端は、土台フレーム２０の連結フレーム２３ａに設けられた伸縮機構接続部２４に接続されるとともに、電動伸縮機構７０の他端は、座フレーム３０の前側フレーム３３に設けられた伸縮機構接続部３９に接続されている。電動伸縮機構７０は、電動モータ７１を備えている。電動伸縮機構７０は、例えばボールねじを用いて構成することができる。この場合には、電動モータ７１の出力軸の回転がウォームギア等の歯車を介してボールねじを構成するナットに伝達されることによって、ねじ軸に対するナットの位置が変位して電動伸縮機構７０が伸縮する。
【００３５】
図４は、図２に示す構成を、前後方向および上下方向に直交する方向である左右方向から見た状態を模式的に示す図である。
図４は、電動伸縮機構７０が縮んだ状態を示すとともに、背もたれ１２が起きた第１状態を示している。この第１状態においては、着座部１１に座っている着座者は容易に立つことができる。この第１状態において電動伸縮機構７０が伸びることにより、土台フレーム２０に対して座フレーム３０および背フレーム４０が前方に移動するとともに、座フレーム３０に対して背フレーム４０が回転することにより背もたれ１２が倒れる。
【００３６】
図５は、電動伸縮機構７０が伸びた状態を示す図であって、背もたれ１２が倒れた第２状態を示している。この第２状態においては、着座部１１に座っている着座者はリラックスすることができる。第２状態においては、第１状態に比べて、座フレーム３０が前方に配置されるとともに、座フレーム３０の前側端部が上方に位置している。
【００３７】
第１走行部５２ａが水平に設けられることにより、第２走行部５２ｂは前方に向かうにつれて上方に延びている。第１状態から第２状態に遷移するときに、座フレーム３０の後側端部に設けられた後側走行具３２ｂは、走行面５２の第１走行部５２ａを走行するとともに、座フレーム３０の前側端部に設けられた前側走行具３２ａは、走行面５２の第２走行部５２ｂを走行する。すなわち、後側走行具３２ｂは水平に移動するのに対して、前側走行具３２ａは斜め上方に移動する。従って、座フレーム３０が移動するにつれて、換言すれば背もたれ１２が倒れるにつれて、水平方向に対する座フレーム３０の傾斜が大きくなる。
【００３８】
第１実施形態によれば、以下の効果を奏することができる。
（１）背もたれ１２のリクライニングに伴い、背フレーム４０と連動して座フレーム３０は前方に移動する。この座フレーム３０の移動は、走行具３２がレール部材５０の走行面５２を走行することにより案内される。このとき、レール部材５０の走行面５２が屈曲されている。このため、１つのレール部材５０により、座フレーム３０の移動を案内する方向を変化させることができ、背もたれ１２のリクライニングに伴って座フレーム３０の角度および位置を簡易な構造で変化させることが可能となる。
【００３９】
（２）第２走行部５２ｂが前方に向かうにつれて上方に延びている。このため、第１走行部５２ａが水平に設けられている場合、または、第２走行部５２ｂよりも傾斜が小さい態様で設けられている場合であっても、座フレーム３０の前側端部が持ち上げられるように移動させることができる。すなわち、走行具３２が第２走行部５２ｂを走行することにより、背もたれ１２のリクライニングに伴って座フレーム３０の前側端部が持ち上げられるように移動させることができる。その結果、座フレーム３０の後側端部を下げて、着座者が前方に移動し過ぎることを抑制することができる。
【００４０】
（３）走行具３２は、この走行具３２が設けられたサイドフレーム３１に対して回転する回転体である。このため、走行具３２がレール部材５０の走行面５２をスライドする構成に比べて、座フレーム３０の移動が案内され易い。
【００４１】
（４）走行具３２は座フレーム３０に設けられるとともに、レール部材５０は土台フレーム２０に設けられている。このため、レール部材５０の強固な固定を図ることができ、また、座フレーム３０の軽量化を図ることができる。
【００４２】
（５）椅子式マッサージ機１はリクライニング椅子１０を備えるため、上記（１）に記載の効果を得ることができる。その結果、簡易な構造で、マッサージに適切な位置に着座者を着座させることが可能となる。
【００４３】
（第２実施形態）
図６〜図８を参照して、第２実施形態について説明する。なお、第１実施形態と同様の構成については、同一の符号を付してその説明を省略または簡略化する。また、図６〜図８において、電動伸縮機構７０の図示は省略されている。
【００４４】
図６に示すように、本実施形態の走行面５２は、直線状に延びる第１走行部５２ａ、第２走行部５２ｂ、および、第３走行部５２ｃを含んでいる。そして、第２走行部５２ｂの前端に接続された第３走行部５２ｃが、第１走行部５２ａが水平に設けられたときに、前方に向かうにつれて下方に延びるようにレール部材５０が形成されている。
【００４５】
図６は、図４と同様に、電動伸縮機構７０が縮んだ状態を示す図であって、背もたれ１２が起きた第１状態を示している。また、図７は、電動伸縮機構７０が伸びた状態を示す図であって、背もたれ１２が倒れた第２状態を示している。
【００４６】
第１状態から第２状態に遷移するときに、座フレーム３０の後側端部に設けられた後側走行具３２ｂは、走行面５２の第１走行部５２ａを走行するとともに、座フレーム３０の前側端部に設けられた前側走行具３２ａは、走行面５２の第２走行部５２ｂを走行する。従って、上記第１実施形態と同様に、第１状態から第２状態に遷移するときには、水平方向に対する座フレーム３０の傾斜が大きくなる。
【００４７】
さらに、本実施形態においては、第２状態において電動伸縮機構７０がさらに伸びることにより、座フレーム３０および背フレーム４０が前方に移動する。そして、背もたれ１２がさらに倒れるとともに、水平方向に対する座フレーム３０の傾斜が小さくなる。
【００４８】
図８は、電動伸縮機構７０がさらに伸びた状態を示す図であって、第１状態および第２状態に比べて背もたれ１２が倒れた第３状態を示している。第３状態においては、着座部１１に座っている着座者はよりリラックスすることができる。この第３状態においては、第２状態に比べて、座フレーム３０が前方に配置されるとともに、座フレーム３０の前側端部が下方に位置している。
【００４９】
本実施形態においては、第１走行部５２ａが水平に設けられ、第２走行部５２ｂが前方に向かうにつれて上方に延び、かつ、第３走行部５２ｃが前方に向かうにつれて下方に延びている。第２状態から第３状態に遷移するときに、座フレーム３０の後側端部に設けられた後側走行具３２ｂは、走行面５２の第１走行部５２ａを走行するとともに、座フレーム３０の前側端部に設けられた前側走行具３２ａは、走行面５２の第３走行部５２ｃを走行する。すなわち、後側走行具３２ｂは水平に移動するのに対して、前側走行具３２ａは斜め下方に移動する。従って、背もたれ１２がさらに倒れるにつれて、水平方向に対する座フレーム３０の傾斜が小さくなる。
【００５０】
第２実施形態によれば、上記第１実施形態の（１）〜（５）に記載の効果に加えて、以下の効果を奏することができる。
（６）第３走行部５２ｃが前方に向かうにつれて下方に延びている。このため、走行具３２が第３走行部５２ｃを走行することにより、背もたれ１２のリクライニングに伴って、倒された背もたれ１２と着座部１１とのなす角度を大きくすることができる。その結果、着座者がよりリラックスする姿勢を取ることができる。
【００５１】
（第３実施形態）
図９および図１０を参照して、第３実施形態について説明する。なお、上記第１実施形態と同様の構成については、同一の符号を付してその説明を省略または簡略化する。また、図９および図１０において、電動伸縮機構７０の図示は省略されている。
【００５２】
図９に示すように、本実施形態の走行面５２は、直線状に延びる第１走行部５２ａおよび第２走行部５２ｂを含んでいる。そして、第２走行部５２ｂの後端に接続された第１走行部５２ａが、第２走行部５２ｂが水平に設けられたときに、後方に向かうにつれて上方に延びるようにレール部材５０が形成されている。
【００５３】
また、本実施形態においては、後側走行具３２ｂがサイドフレーム３１に対して下垂されないで設けられているのに対して、前側走行具３２ａがサイドフレーム３１に対して下垂された状態で設けられている。すなわち、サイドフレーム３１が水平方向に延びるように設けられたときに、上下方向において複数の走行具３２に高低差が生じるように構成されている。
【００５４】
図９は、図４と同様に、電動伸縮機構７０が縮んだ状態を示す図であって、背もたれ１２が起きた第１状態を示している。また、図１０は、電動伸縮機構７０が伸びた状態を示す図であって、背もたれ１２が倒れた第２状態を示している。本実施形態に係る第２状態においては、第１状態に比べて、座フレーム３０が前方に配置されるとともに、座フレーム３０の後側端部が下方に位置している。
【００５５】
本実施形態においては、第２走行部５２ｂが水平に設けられ、第１走行部５２ａが前方に向かうにつれて下方に延びている。従って、前側走行具３２ａは水平に移動するのに対して、後側走行具３２ｂは斜め下方に移動する。従って、座フレーム３０が移動するにつれて、換言すれば背もたれ１２が倒れるにつれて、水平方向に対する座フレーム３０の傾斜が大きくなる。
【００５６】
第３実施形態によれば、上記第１実施形態の（１）、および、（３）〜（５）に記載の効果に加えて、以下の効果を奏することができる。
（７）第１走行部５２ａが前方に向かうにつれて下方に延びている。そして、前側走行具３２ａからサイドフレーム３１までの距離が、後側走行具３２ｂからサイドフレーム３１までの距離に比べて大きい。このため、第２走行部５２ｂが水平に設けられている場合、または、第１走行部５２ａよりも傾斜が小さい態様で設けられている場合には、後側走行具３２ｂが第２走行部５２ｂを走行することにより、座フレーム３０の後側端部を下げることができる。従って、着座者が前方に移動し過ぎることを抑制することができる。また、座フレーム３０の前側端部の高さの変化が少ないため、第２状態においても、着座部１１に座っている着座者は容易に立つことができる。
【００５７】
（その他の実施形態）
なお、本発明の実施態様は上記各実施形態に限られるものではなく、例えば以下に示すように変更することもできる。また以下の変形例は、上記各実施形態についてのみ適用されるものではなく、異なる変形例同士を互いに組み合わせて実施することもできる。
【００５８】
・レール部材５０の屈曲態様を適宜変更してもよい。例えば、上記第３実施形態において、走行面５２が、第２走行部５２ｂの前端に接続された第３走行部を含み、この第３走行部が、前方に向かうにつれて下方に延びるようにレール部材５０が形成されていてもよい。このように第３実施形態に上記第２実施形態に記載の構成を適用することにより、上記第２実施形態の（６）に準じた効果を得ることができる。
【００５９】
・上記第１および第２実施形態においては、前側走行具３２ａからサイドフレーム３１までの距離と、後側走行具３２ｂからサイドフレーム３１までの距離とが、互いに異なるように構成されていてもよい。
【００６０】
・走行具３２が回転体でなくてもよい。すなわち、走行具３２が、走行面５２の上をスライドして走行するものであってもよい。また、座フレーム３０の角度を保持することができるのであれば、走行具３２が複数設けられていなくてもよい。
【００６１】
・土台フレーム２０に走行具が設けられ、座フレーム３０にレール部材が設けられる構成であってもよい。すなわち、座フレーム３０の移動を案内するレール部材は、土台フレーム２０および座フレーム３０のうち一方のフレームに設けられていればよい。この場合には、他方のフレームに走行具が設けられる。
【００６２】
・上記各実施形態においては、リクライニング椅子１０を備える椅子式マッサージ機１に本発明を適用した例を示したが、マッサージ機能を有さないリクライニング椅子に本発明を適用することもできる。
【００６３】
（課題を解決するための手段に関する付記）
〔付記１〕着座部の土台を構成する設置フレームと、前記設置フレームに対して前後方向に移動し得る座フレームと、前記座フレームに接続される背フレームとを含み、前記座フレームの右側および左側のそれぞれに、第１のレール部材が配置され、前記第１のレール部材の後方に、前記背フレームに向けて延びる第２のレール部材が配置され、前記第１のレール部材および前記第２のレール部材が前記設置フレームに固定され、前記座フレームに、前記第１のレール部材に対して前後方向に走行する第１の走行具が取り付けられ、前記背フレームに、前記第２のレール部材に対して前後方向に走行する第２の走行具が取り付けられ、前記座フレームおよび前記背フレームが連動して前記設置フレームに対して前方に移動するとき、前記第１の走行具が前記第１のレール部材に対して前方に走行し、前記第２の走行具が前記第２のレール部材に対して前方に走行するリクライニング椅子。
【００６４】
〔付記２〕前記座フレームの右側面および左側面のそれぞれに、複数の前記第１の走行具が取り付けられ、前記背フレームの右側面および左側面のそれぞれに、１つの前記第２の走行具が取り付けられている〔付記１〕に記載のリクライニング椅子。
【００６５】
〔付記３〕前記設置フレームの形状が、前後方向に延び、端部から中間部分に向けて上方に突出した形状であり、前記設置フレームの前後方向の長さが、前記座フレームの前後方向の長さよりも長い〔付記１〕または〔付記２〕に記載のリクライニング椅子。
【符号の説明】
【００６６】
１０：リクライニング椅子
１１：着座部
２０：土台フレーム
３０：座フレーム
３２：走行具
３８：背フレーム接続部（接続部）
４０：背フレーム
５０：レール部材
【図１】
2014147849.tif 000003
【図２】
2014147849.tif 000004
【図３】
2014147849.tif 000005
【図４】
2014147849.tif 000006
【図５】
2014147849.tif 000007
【図６】
2014147849.tif 000008
【図７】
2014147849.tif 000009
【図８】
2014147849.tif 000010
【図９】
2014147849.tif 000011
【図１０】
2014147849.tif 000012